(57)【要約】【課題】本考案は、日常生活で姿・形を映し出したり、あるいは装飾用のインテリアとして使用されていた鏡をバックライト付額縁を利用することで、従来の使い方とは異なる絵画の装飾インテリア、観賞用に転用することである。［考案を解決するための手段］　以上の課題を解決するために、一般販売されている鏡１の裏面にエッチング加工１ｂした絵・文字をバックライト５による照明で照射する事を特徴とするアートミラーボードある。そして、鏡１裏面のエッチング加工１ｂ部に直接透明性の絵具２で色付けを施したり、バックライト５と鏡１の間に挟装した透明アクリル板３へカラーフイルム４を貼りつける事で色鮮やかな絵、文字等を表現する事を特徴とするアートミラーボードである。【選択図】　図３
0003097812.tif 000002
【実用新案登録請求の範囲】
【請求項１】
鏡１の裏面に絵・文字をエッチング加工１ｂ（サンドブラスト、グラスリッツイン処理）し額縁の裏フタを兼ねたバックライト５から発する照明で絵、文字を照射し、鮮やかさを表現するアートミラーボード（芸術性また鑑賞性に富み、しかも鏡面を有するのでアートミラーボードと称することができる）。
【請求項２】
バックライト５とエッチング加工１ｂした鏡１の間に透明性カラーシート４を貼った透明アクリル板３を挟装し、絵、文字に色付けする事ができる請求項１記載のアートミラーボード。
【請求項３】
鏡１裏面のエッチング加工１ｂ部分に直接透明性の絵具２で色付けする事もでる請求項１記載のアートミラーボード。
【考案の詳細な説明】
【０００１】
【考案の属する技術分野】
インテリア装飾の装飾効果を上げるために使用するアートミラーボードで、一般販売されている鏡１の裏面にエッチングと色付けを施し、裏フタを兼ねたバックライトの付の額縁に収め背面から照明を当てて装飾性、鑑賞性を高めるアートミラーボードに関するものである。
【０００２】
【従来の技術】
従来の鏡は、単に鏡の表面、または裏面に装飾程度のエッチング加工を施した彫刻鏡は若干程度見受けられるが、日常生活には姿、形を映し出す為だけに使用されている。
【０００３】
また、従来の平面な絵画・文字等を表現する工芸品には代表例として窓等に取り付けられ自然光で表現するステンドグラスと、単純に額装にはめ込んだガラス絵等がある。
【０００４】
【考案が解決しようとする課題】
鏡についての従来の考え方使い方は、板ガラスの裏面へ銀・鉛等のメッキ１ａ加工を施し、そして、そこに像を反射させ、日常生活の中で姿・形を映し出したり、あるいは装飾用のインテリアとして使用されているだけである。
【０００５】
一方、板状ガラスの素材を利用した絵画等の工芸品にはステンドガラス、ガラス絵、板状色被せガラスの彫刻等がある。
【０００６】
そこで、この考案は、双方とも個々の目的、使用方法で孤立した使われ方をしていて、色鮮やかな絵、文字等を提供するには乏しかった。
【０００７】
［考案を解決するための手段］
以上の課題を解決するために、エッチングした鏡１、カラーシート４を貼った透明アクリル板３、バックライト５付額縁を組み合わせることにより装飾効果、鑑賞性、商品価値の高いミラーボードが得られる。請求項１の考案は、鏡１の裏面にエッチングした絵・文字等をバックライト５による照明を照射する事を特徴とするアートミラーボードある。
請求項２の考案は、請求項３の考案は、バックライト４と鏡の間に設けた透明アクリル板３へ透明性カラーフイルム４を貼り色鮮やかな絵、文字等を表現する事を特徴とする請求項１記載のアートミラーボードである。また、請求項３は鏡１裏面のエッチング面に直接透明性の絵具２で色付けし、色鮮やかな絵、文字等を表現する事を特徴とする請求項１記載のアートミラーボードである。
【０００８】
［考案の実施の形態］
上記の目的を解決するために、本考案のバックライト５付額縁を利用したアートミラーボードは次のような構成をなす。
【０００９】
すなわち、バックライト５を裏蓋とした額縁で、鏡１の裏面にエッチング１ｂを施すことにより鏡として像を映す役割をする鏡面のメッキ部１ａも削り取られ光を透過させることができ非常に明るく見える。逆に鏡１の裏面にエッチングを施さない部分は鏡部で光が透過しないためくっきりした黒色となり、はっきりした明暗を有する絵、文字が表現できる。
【００１０】
また、エッチング加工部に透明性絵具２ｂで色付けする方法、あるいは、鏡１の裏面にカラーフイルム４を貼り付けた透明アクリル板３を挟装することで光を透過させ色付けが出来る。
【００１１】
［考案の効果］
以上説明したように本考案によれば、バックライト５を利用したアートミラーボードに絵・文字等を鏡１の裏面に彫刻し、エッチングした鏡１に色付けする事、あるいは、透明性カラーフイルム４を貼ったアクリル板３を鏡１とバックライト５に挟装し、組み合わせることでメリハリのはっきりした、また、浮かび上がらせえる色鮮やかな絵・文字等を表現することが出来る。
【図面の簡単な説明】
【図１】バックライト額縁付アートミラーボード外観傾斜図。
【図２】バックライト額縁付アートミラーボード平面図。
【図３】（イ）は図２のＩＩＩ−ＩＩＩ線を矢印方向に見た断面図。（ロ）はバックライト額縁付アートミラーボードの鏡部のみを示す断面図。（ハ）バックライト額縁付アートミラーボードのアクリル板部のみを示す断面図。
【符号の説明】
１　　　鏡
１ａ　　鏡面のメッキ部
１ｂ　　エッチング加工部
２　　　透明性絵具
３　　　透明アクリル板
４　　　透明性カラーシート
５　　　バックライト
６　　　額縁
７　　　額縁の後部枠
【図１】
0003097812.tif 000003
【図２】
0003097812.tif 000004
【図３】
0003097812.tif 000005
【手続補正書】
【提出日】平成15年6月24日(2003.6.24)
【手続補正１】
【補正対象書類名】明細書
【補正対象項目名】実用新案登録請求の範囲
【補正方法】変更
【補正の内容】
【実用新案登録請求の範囲】
【請求項１】
鏡１の裏面に絵・文字をエッチング加工１ｂし、額縁の裏ブタを兼ねたバックライト５から発する照明で絵、文字を照射し、鮮やかさを表現するバックライト額縁付アートミラーボード。
【請求項２】
バックライト５とエッチング加工１ｂした鏡１の間に透明性カラーシート４を貼った透明アクリル板３を挟装した請求項１記載のバックライト額縁付アートミラーボード。
【請求項３】
鏡１裏面のエッチング加工１ｂ部分に直接透明性の絵具２で色付けした請求項１記載のバックライト額縁付アートミラーボード。
【手続補正２】
【補正対象書類名】明細書
【補正対象項目名】０００７
【補正方法】変更
【補正の内容】
【０００７】
【考案を解決するための手段】
以上の課題を解決するために、エッチングした鏡１（裏面に、例えばサンドブラスト、グラスリッツィン等のエッチング加工により絵、文字等をエッチング加工１ｂした鏡）、カラーシート４を貼った透明アクリル板３、バックライト５付額縁を組み合わせることにより装飾効果、鑑賞性、商品価値の高いミラーボードが得られる。
請求項１の考案は、鏡１の裏面にエッチングした絵、文字等をバックライト５による照明を照射する事を特徴とするアートミラーボードである。なお、ここでは芸術性または鑑賞性に富み、しかも鏡面を有するものをアートミラーボードと称する。
請求項２の考案は、バックライト５と鏡の間に設けた透明アクリル板３へ透明性カラーシート４を貼り色鮮やかな絵、文字等を表現する事を特徴とする請求項１記載のアートミラーボードである。また、請求項３は鏡１裏面のエッチング面に直接透明性の絵具２で色付けし、色鮮やかな絵、文字等を表現する事を特徴とする請求項１記載のアートミラーボードである。


【手続補正３】
【補正対象書類名】明細書
【補正対象項目名】００１０
【補正方法】変更
【補正の内容】
【００１０】
図３（イ）に全体構造を図示した様に鏡１裏面とバックライト５間にカラーシートを貼り付けたアクリル板３（図３（ハ）参照）を挟装することで光を透過させて色付けが出来る。あるいは、エッチング加工部１ｂに透明性絵具２で直接色付けする事も出来る。（図３（ロ）参照）